(57)【要約】【課題】遊技機を設置する島台に設けられる表示装置であって、模様自体が明るく発光して高い装飾効果が得られ、表示プレートの交換や取り外しが容易であり、低価格で実現可能なものを提供する。【解決手段】島台の欄間などに設ける表示装置８を、アクリル板などの導光板に光を拡散する性質の塗料で模様を印刷した表示プレートと、この表示プレートの端面に光を照射する光源部とで構成する。表示プレート内を伝播する光が模様に当たると拡散するので、光源を表示プレートに内蔵することなく模様自体の発光する表示装置が実現される。【選択図】図１
2005304536.tif 000002
【特許請求の範囲】
【請求項１】
遊技機を設置する島台に設けられる表示装置であって、
光を拡散する模様を導光板に付した表示プレートと、
前記表示プレートの端面に光を照射する光源部と
を有する
ことを特徴とする表示装置。
【請求項２】
前記表示プレートには、前記光源部に臨む端面の近傍において光源部からの直接光が到達しない範囲を避けて模様を付してある
ことを特徴とする請求項１に記載の表示装置。
【請求項３】
前記表示プレートの背面およびまたは前記光源部からの光が入射する箇所を除く端面に反射材を設けた
ことを特徴とする請求項１または２に記載の表示装置。
【請求項４】
前記表示プレートの背面には、模様の付された箇所に対応する部分のみに反射材を設ける
ことを特徴とする請求項３に記載の表示装置。
【請求項５】
前記表示プレートの背面のうち、反射材を設けた箇所以外の部分に背景色を付した
ことを特徴とする請求項４に記載の表示装置。
【請求項６】
前記光源部からの光が入射される前記表示プレートの端面に鏡面加工を施した
ことを特徴とする請求項１、２、３、４または５に記載の表示装置。
【請求項７】
前記表示プレートは、光を拡散する模様を描いたフィルムシートを導光板に貼着したものである
ことを特徴とする請求項１、２、３、４、５または６に記載の表示装置。
【請求項８】
前記フィルムシートは、模様の形に切り取られたものである
ことを特徴とする請求項７に記載の表示装置。
【請求項９】
フィルムシートのうち前記導光板に貼着する面と反対の面に模様を描いた
ことを特徴とする請求項７または８に記載の表示装置。
【請求項１０】
前記模様は、導光板を彫って形成したものである
ことを特徴とする請求項１、２、３、４、５または６に記載の表示装置。
【請求項１１】
前記導光板はＬ字状に折り曲げてあって、その一片を島台のカウンタ部として使用し他方の片を島台の腰板部として使用する
ことを特徴とする請求項１、２、３、４、５、６、７、８、９または１０に記載の表示装置。
【請求項１２】
カウンタ部では導光板の下側の面に模様を付し、腰板部では導光板の裏側の面に模様を付した
ことを特徴とする請求項１１に記載の表示装置。
【請求項１３】
前記表示プレートを島台の腰板部として使用し、かつ前記光源部から入射された光がこの表示プレートの下端から出射するようにした
ことを特徴とする請求項１、２、３、４、５、６、７、８、９または１０に記載の表示装置。
【請求項１４】
前記光源部は、複数の光源ユニットからなり、
各光源ユニットは、一端に嵌合凸部を他端に嵌合凹部を備え、隣り合うものの嵌合凸部と嵌合凹部とを嵌合させることで複数を一列に連結可能に構成されている
ことを特徴とする請求項１、２、３、４、５、６、７、８、９、１０、１１、１２または１３に記載の表示装置。
【請求項１５】
各光源ユニットは、隣り合う光源ユニット同士を接続するワイヤハーネスを収容可能な収納壁を有する
ことを特徴とする請求項１４に記載の表示装置。
【請求項１６】
連結方向に長さが異なる複数種類の光源ユニットを用意した
ことを特徴とする請求項１４または１５に記載の表示装置。
【請求項１７】
前記光源部の有する光源の背後に光の反射部材を設けた
ことを特徴とする請求項１、２、３、４、５、６、７、８、９、１０、１１、１２、１３、１４、１５、または１６に記載の表示装置。
【請求項１８】
前記光源は発光ダイオードであり、
前記反射部材として、発光ダイオードの取り付け基板の表面に光の反射層を設けた
ことを特徴とする請求項１７に記載の表示装置。
【請求項１９】
前記光源部は、出射する光の色を変更し得る
ことを特徴とする請求項１、２、３、４、５、６、７、８、９、１０、１１、１２、１３、１４、１５、１６、１７または１８に記載の表示装置。
【請求項２０】
前記表示プレートのうち前記光源部から所定距離の範囲内にある部分を目隠し部材で覆い隠した
ことを特徴とする請求項１、２、３、４、５、６、７、８、９、１０、１１、１２、１３、１４、１５、１６、１７、１８または１９に記載の表示装置。
【発明の詳細な説明】
【技術分野】
【０００１】
本発明は、パチンコ機やスロットマシンなどの遊技機を設置する島台に設けられる表示装置に係わり、特に装飾効果や演出効果を目的とした表示装置に関する。
【背景技術】
【０００２】
遊技場に設置されるパチンコ機やスロットマシンなどの遊技機は、通常、遊技に適した高さで横一列に複数台が並ぶようにして島台に収容される。このほか、島台は、パチンコ球などの遊技媒体を貸し出す遊技媒体貸出装置や遊技者の獲得した遊技媒体を数える計数機を収容している。
【０００３】
さらに島台の左右中央内部には、遊技機や計数機から排出される遊技媒体を回収し研磨・清掃して再び遊技機や遊技媒体貸出装置に供給する回収供給装置が内蔵されている。回収供給装置から遊技媒体を各遊技機に供給するための補給樋は、遊技機の上方に島の中央から両端に向けて掛け渡してあり、遊技機の下部には、各遊技機から排出された遊技媒体を回収するための回収樋が島の両端から中央に向けて掛け渡してある。
【０００４】
このような回収供給装置や補給樋、回収樋が露出しないように島台の上部は幕板や欄間で覆い、島台の下部は腰板や巾木で覆ってある。また島台の左右両端は妻板で塞いである。欄間や妻板は、遊技者の目につきやすい箇所にあるので、内部構造の露出を防止する機能のほか島台自体を装飾する目的にも利用される。特に、装飾効果を高めるために、図柄や文字の描かれた欄間を照明するほか、文字や図柄自体が光るようにした島台がある。
【０００５】
たとえば、幕板の下方に発光源を取り付け、文字や模様を描いた欄間等（以下、プレートと呼ぶ）を間接的に照明するようにした島台がある（たとえば、特許文献１参照。）。また、文字や模様を描いた半透明のプレートの内側に発光源を配置し、バックライト的にプレートを発光させるようにしたものがある（たとえば、特許文献２参照。）。
【０００６】
さらに、プレートの表面に直接、発光源を設けて絵柄や文字自体を発光させるようにしたものがある（たとえば、特許文献３、特許文献４参照。）。また、プレートの表面にＥＬ（エレクトロルミネッセンス）素子を設けてＥＬパネルを形成し、所定の文字や絵柄等を発光させるようにした島台が開示されている（たとえば特許文献５、特許文献６参照。）。
【０００７】
【特許文献１】特開平６−２３１３２号公報
【特許文献２】特開平１１−２０７０１２号公報
【特許文献３】登録実用新案第３０９１７４７号公報
【特許文献４】実開平６−４６７８０号公報
【特許文献５】特開２００４−８５８９号公報
【特許文献６】登録実用新案第３００５６３０号公報
【発明の開示】
【発明が解決しようとする課題】
【０００８】
プレートを間接照明するものでは、プレート自体が発光しないので装飾効果は今ひとつで、インパクトにかける。プレートをバックライトで照明するものやプレートの表面に発光源を直接取り付けたものでは、プレート自体が光るものの、プレートが高価になるとともに、厚みが増して嵩張ったり取り扱いに注意を要する。特に、欄間は補給樋などの保守点検のために開閉自在に設ける必要があるので、嵩張らず軽量で取り扱いの容易なプレートが好ましい。
【０００９】
また、プレートに発光源を直接取り付けたものでは、プレート内の発光源に点灯制御用の制御線や電源線を接続することが必須となり、模様変更等のためにプレートを交換したり保守・点検等のために取り外したりする毎に、制御線や電源の接続を切り離し、後でまた接続するという面倒な作業が発生していた。
【００１０】
さらに、ＥＬ（エレクトロルミネッセンス）素子を利用したものでは、発光強度が弱いので、明るいホール内では目立たず不向きであるとともに、インバータ等の点灯制御装置が必要となり装置が高価になるという問題があった。
【００１１】
本発明は、上記の問題を解決しようとする課題にするものであり、遊技機を設置する島台に設けられる表示装置であって、模様自体が明るく発光して高い装飾効果が得られ、プレートの交換や取り外しが容易であり、低価格で実現可能なものを提供することを目的としている。
【課題を解決するための手段】
【００１２】
請求項１に係わる発明は、遊技機を設置する島台に設けられる表示装置であって、
光を拡散する模様（３０）を導光板に付した表示プレート（２５）と、
前記表示プレート（２５）の端面に光を照射する光源部（７６）と
を有する
ことを特徴とする表示装置である。
【００１３】
上記発明によれば、表示プレート（２５）の端面から入射した光が導光板内を伝播し、模様（３０）に衝突すると光が拡散されて導光板の外へ出射し、模様（３０）の部分が発光する。この構成では、表示プレート（２５）の端面から光を照射すればよく、光源を表示プレート（２５）に直接取り付ける必要はない。また、表示プレート（２５）に照射する光の色を変えるだけで、模様（３０）の発光色が変わり、装飾効果を変化させることができる。表示プレート（２５）は、島台の欄間、幕板、カウンタ、腰板、妻板などの部分に取り付けて使用される。
【００１４】
請求項２に係わる発明は  前記表示プレート（２５）には、前記光源部（７６）に臨む端面の近傍において光源部（７６）からの直接光が到達しない範囲を避けて模様（３０）を付してある
ことを特徴とする請求項１に記載の表示装置である。
【００１５】
上記発明によれば、光源からの直接光が到達しない範囲を避けて模様（３０）が形成される。通常、光源から出射された光は一定の指向性（視野角）をもって広がるので、光源と表示プレート（２５）の端面とをあまり近づけると、端面の近くでは光源からの直接光の到達しない範囲が生じる。このような範囲を避けて模様（３０）を描くことで模様（３０）が適切に発光する。また、光の３原色である赤、青、緑の３つのＬＥＤを一組とし、これを一列に多数並べて光源部を構成するような場合には、同じ色（たとえば、赤）のＬＥＤ同士の間隔が広がるので、その色の直接光が到達しない範囲を避けて模様（３０）を描くことが重要である。
【００１６】
請求項３に係わる発明は、前記表示プレート（２５）の背面およびまたは前記光源部（７６）からの光が入射する箇所を除く端面に反射材（２６、２８）を設けた
ことを特徴とする請求項１または２に記載の表示装置である。
【００１７】
上記発明によれば、光源に臨む端面から入射した光が他の端面や導光板の背面で反射材（２６、２８）によって反射されるので外部に漏れにくくなる。
【００１８】
請求項４に係わる発明は、前記表示プレート（２５）の背面には、模様（３０）の付された箇所に対応する部分のみに反射材（２８）を設ける
ことを特徴とする請求項３に記載の表示装置である。
【００１９】
上記発明によれば、模様（３０）の付された箇所の背面に設けた反射材（２８）で反射した光が再び模様（３０）に当たるので、模様（３０）の発光量が増加する。また、模様（３０）のない部分には背景色を付したりすることが可能になる。反射材（２８）は塗料でも、反射シートでもよい。また、反射材（２８）は、光の反射率が高ければその色は問わない。たとえば、銀色や白色の反射材を利用できる。特に表示プレート（２５）の端面には銀色の反射材が好適であり、背面は模様（３０）の色に影響を与えない白色の反射材が適している。
【００２０】
請求項５に係わる発明は、前記表示プレート（２５）の背面のうち、反射材（２８）を設けた箇所以外の部分に背景色を付した
ことを特徴とする請求項４に記載の表示装置である。
【００２１】
上記発明によれば、模様（３０）は背面の反射材で反射された光を受けて発光強度が増し、模様（３０）のない部分には背景色が現れる。背景色の部分は、模様（３０）と異なり光を拡散する必要はない。ホール内の明かりにより背景色は照明される。
【００２２】
請求項６に係わる発明は、前記光源部（７６）からの光が入射される前記表示プレートの端面に鏡面加工を施した
ことを特徴とする請求項１、２、３、４または５に記載の表示装置である。
【００２３】
上記発明によれば、光源からの光が効率よく表示プレート（２５）内に入射される。たとえば、端面にバフ（磨き）をかけることで鏡面加工が実現される。
【００２４】
請求項７に係わる発明は、前記表示プレート（２５）は、光を拡散する模様（３０）を描いたフィルムシート（４８、４９）を導光板に貼着したものである
ことを特徴とする請求項１、２、３、４、５または６に記載の表示装置である。
【００２５】
上記発明によれば、光を拡散する性質の塗料で模様（３０）を印刷したフィルムシート（４８、４９）を導光板に貼着することで、模様（３０）が導光板に形成される。フィルムシート（４８、４９）を貼り替えるだけで表示プレート（２５）上の模様（３０）やデザインの変更が可能になる。
【００２６】
模様（３０）はフィルムシート（４８、４９）の表裏いずれに形成してもよい。導光板に貼着する面に模様（３０）を形成する場合には、フィルムシート（４８、４９）は、透明でも不透明でもかまわないし、反射材の役割を兼ねるように構成してもよい。導光板に貼着する面と反対の面に模様（３０）を形成する場合は、フィルムシート（４８、４９）は透明や無色透明が望ましい。またフィルムシート（４８、４９）は、導光板の背面全体に貼着しても一部のみに貼着してもよい。
【００２７】
請求項８に係わる発明は、前記フィルムシート（４９）は、模様（３０）の形に切り取られたものである
ことを特徴とする請求項７に記載の表示装置である。
【００２８】
上記発明によれば、模様（３０）の形にカットしたフィルムシート（４９）が導光板に貼着される。模様の形に正確にカットする必要はなく、模様の周囲にある程度の余裕を持たせてもよい。複数の模様を１つのフィルムシートになるようにカットしてもよい。要するに表示プレート（２５）に複数のシート（４９）を組み合わせて貼り付け可能にカットされていればよい。
【００２９】
請求項９に係わる発明は、フィルムシート（４８、４９）のうち前記導光板に貼着する面と反対の面に模様（３０）を描いた
ことを特徴とする請求項７または８に記載の表示装置である。
【００３０】
上記発明によれば、導光板に貼着する面と反対の面に模様（３０）を形成する。フィルムシート（４８、４９）の導光板に貼着する面は平坦性が確保され、フィルムシート（４８、４９）が導光板に密着して貼着可能になる。
【００３１】
請求項１０に係わる発明は、前記模様は、導光板を彫って形成したものである
ことを特徴とする請求項１、２、３、４、５または６に記載の表示装置である。
【００３２】
たとえば、エッチングや彫刻により模様が導光板に形成される。彫られた箇所は導光板内の光を拡散して発光する。
【００３３】
請求項１１に係わる発明は、前記導光板（１２５）はＬ字状に折り曲げてあって、その一片を島台のカウンタ部（１２５ａ）として使用し他方の片を島台の腰板部（１２５ｂ）として使用する
ことを特徴とする請求項１、２、３、４、５、６、７、８、９または１０に記載の表示装置である。
【００３４】
上記発明によれば、Ｌ字に折り曲げた導光板（１２５）の一方の片がカウンタ部（１２５ａ）に、他方の片が腰板部（１２５ｂ）として使用される。光はＬ字に曲げた両片に伝播するので、１つの端面に光源を設ければよい。模様（３０）を印刷で付する場合には模様（３０）を印刷してから導光板をＬ字に曲げるとよい。カウンタ部（１２５ａ）では、表示プレート（２５）の上面を強化ガラスで覆ったり保護材でコーティングしたりするとよい。
【００３５】
請求項１２に係わる発明は、カウンタ部（１２５ａ）では導光板（１２５）の下側の面に模様（３０）を付し、腰板部（１２５ｂ）では導光板（１２５）の裏側の面に模様（３０）を付した
ことを特徴とする請求項１１に記載の表示装置である。
【００３６】
カウンタ部（１２５ａ）の下側の面や腰板部（１２５ｂ）の裏側の面は、遊技者や物が触れない方の面である。なお、模様（３０）を両面に印刷してから導光板を折り曲げるとよい。
【００３７】
請求項１３に係わる発明は、前記表示プレート（２２５）を島台の腰板部として使用し、かつ前記光源部（７６）から入射された光がこの表示プレート（２２５）の下端から出射するようにした
ことを特徴とする請求項１、２、３、４、５、６、７、８、９または１０に記載の表示装置である。
【００３８】
上記発明によれば、表示プレート（２２５）で構成した腰板部の下端から射出する光が足元照明に利用される。光の出射する端面を鏡面加工すれば出射する光量が増加する。反射材は、導光板の端面のうち、光源からの光を入射させる部分と足元照明として光を出射させる部分以外に設けるとよい。
【００３９】
請求項１４に係わる発明は、前記光源部（７６）は、複数の光源ユニット（７６）からなり、
各光源ユニット（７６）は、一端に嵌合凸部（５６）を他端に嵌合凹部（５７）を備え、隣り合うものの嵌合凸部（５６）と嵌合凹部（５７）とを嵌合させることで複数を一列に連結可能に構成されている
ことを特徴とする請求項１、２、３、４、５、６、７、８、９、１０、１１、１２または１３に記載の表示装置である。
【００４０】
上記発明によれば、隣り合う光源ユニット（７６）の嵌合凸部（５６）と嵌合凹部（５７）とを嵌合させることで複数の光源ユニット（７６）が一列に連結される。連結する光源ユニット（７６）の数を変えれば、光源部（７６）の長さが変わる。
【００４１】
請求項１５に係わる発明は、各光源ユニット（７６）は、隣り合う光源ユニット（７６）同士を接続するワイヤハーネスを収容可能な収納壁（５９ａ、５９ｂ）を有する
ことを特徴とする請求項１４に記載の表示装置である。
【００４２】
上記発明によれば、光源ユニット（７６）同士を接続するワイヤハーネスが収納壁（５９ａ、５９ｂ）の内側に収容される。収納壁（５９ａ、５９ｂ）は連結後の余分なワイヤハーネスを収容できればよく、ワイヤハーネスのすべてを収納しなくてもよい。
【００４３】
請求項１６に係わる発明は、連結方向に長さが異なる複数種類の光源ユニット（７６）を用意した
ことを特徴とする請求項１４または１５に記載の表示装置である。
【００４４】
上記発明によれば、連結方向に長さの異なる複数種類の光源ユニット（７６）を用意したので、連結する光源ユニット（７６）の数や組み合わせ方を選択することで、多様な長さの光源部（７６）を構成することが可能になる。たとえば、各パチンコ機に並設される台間玉貸機の機種による横幅の違いに柔軟に対応することができる。
【００４５】
請求項１７に係わる発明は、前記光源部（７６）の有する光源の背後に光の反射部材（７４）を設けた
ことを特徴とする請求項１、２、３、４、５、６、７、８、９、１０、１１、１２、１３、１４、１５、または１６に記載の表示装置である。
【００４６】
上記発明によれば、光源の背後に出射された光が反射部材（７４）に反射して正面に向かうので、表示プレート（２５）に入射する光量が増加して模様（３０）の発光強度が強まる。
【００４７】
請求項１８に係わる発明は、前記光源は発光ダイオード（７１）であり、
前記反射部材（７４）として、発光ダイオード（７１）の取り付け基板の表面に光の反射層を設けた
ことを特徴とする請求項１７に記載の表示装置である。
【００４８】
上記発明によれば、発光ダイオード（７１）の取り付け基板の表面にある導体層をメッキするなどにより反射層（７４）が形成される。発光ダイオード（７１）への配線は基板裏面側の導体層を利用するほか、２枚の基板を重ねて使用し、発光ダイオード（７１）のすぐ背後の１枚を反射層（７４）に、他の１枚を配線用に用いてもよい。
【００４９】
請求項１９に係わる発明は、前記光源部（７６）は、出射する光の色を変更し得る
ことを特徴とする請求項１、２、３、４、５、６、７、８、９、１０、１１、１２、１３、１４、１５、１６、１７または１８に記載の表示装置である。
【００５０】
上記発明によれば、様々な色で模様（３０）を発光させることが可能になる。光源として光の３原色を用意すれば、これらを組み合わせてフルカラー発光が可能になる。
【００５１】
請求項２０に係わる発明は、前記表示プレート（２５）のうち前記光源部（７６）から所定距離の範囲内にある部分を目隠し部材（１３）で覆い隠した
ことを特徴とする請求項１、２、３、４、５、６、７、８、９、１０、１１、１２、１３、１４、１５、１６、１７、１８または１９に記載の表示装置である。
【００５２】
上記発明によれば、光源部（７６）からの光は指向性を持って広がるので、光源部（７６）の近くでは指向性の境界に沿って光の筋が生じ易い。そのような部分が目隠し部材（１３）で覆い隠される。
【発明の効果】
【００５３】
本発明に係わる島台用の表示装置によれば、光源部から表示プレートの端面に光を照射することで表示プレートの模様自体が発光するので、発光しない箇所とのコントラストが強く、高い装飾効果を得ることができる。また、照射する光の色を変えることで模様自体の色を変更しなくても模様の発光色が変わるので、変化に富む装飾効果を得ることができる。
【００５４】
さらに、表示プレートの端面に光を照射するだけで模様自体が発光するので、表示プレートの交換や取り外しの際に配線を切り離したり接続し直したりする必要がなくなり、作業効率が向上する。
【００５５】
また、表示プレートを取り替えることで模様を変更できるので、低コストでのデザイン変更が可能になる。また、模様を印刷で付したり、模様を描いたフィルムシートを貼着するものでは、印刷を消したりフィルムシートを剥がすことで導光板の再利用が可能になる。
【００５６】
光源部に臨む端面の近傍において光源部からの直接光が到達しない範囲を避けて表示プレートに模様を付したものでは、光源部からの直接光が到達しない範囲に模様が存在しなくなり、各模様が適切に発光する。
【００５７】
表示プレートの背面や光の入射箇所を除く端面に光の反射材を設けたものでは、表示プレートの外部に光が漏れ難くなり、模様の発光強度を強めることができる。表示プレートの背面において、模様の付された箇所に対応する部分のみに反射材を設けたものでは、模様の発光強度を強めつつ、模様のない部分に背景色を付すことで装飾効果を高めることができる。
【００５８】
光源部からの光が入射される端面に鏡面加工を施したものでは、光源からの光を効率よく表示プレート内に入射させることができ、模様の発光強度を高めることができる。
【００５９】
光を拡散する模様を描いたフィルムシートを導光板に貼着した構成の表示プレートを用いるものでは、フィルムシートを貼り替えるだけで表示プレートの模様を変えることができ、低コストでデザインの変更が可能になる。特に模様の形にカットしたフィルムシートを導光板に貼着するものでは、貼着するフィルムシートの組み合わせ方や配置を変えるだけで様々なデザインの表示プレートを形成することができる。
【００６０】
フィルムシートのうち導光板に貼着する面と反対の面に模様を描いたものでは、フィルムシートを導光板に密着して貼ることができ、光がフィルムシートに効率よく伝播して模様の発光強度が向上する。
【００６１】
Ｌ字に折り曲げた表示プレートの一片をカウンタ部に他方の片を腰板部に使用するものでは、１つの端面に設けた光源でカウンタ部の模様と腰板部の模様の双方を発光させることができるので、別々に構成する場合に比べて低コスト化することができる。また、カウンタ部では導光板の下側の面に、腰板部では導光板の裏側の面に模様を付したので、遊技者や物が模様に直接触れなくなって模様が保護される。
【００６２】
表示プレートを島台の腰板部として使用し、かつ光源部から入射された光をこの表示プレートの下端から出射させるものでは、表示プレートが足元照明の機能を併せ持つので、別途の光源を足元照明用に設置する場合に比べて島台の下部がすっきりと構成される。
【００６３】
複数の光源ユニットを隣り合うもの同士の嵌合凸部と嵌合凹部とを嵌合させて一列に連結した構造の光源部を用いるものでは、連結する光源ユニットの数を変えることで様々なサイズの表示プレートに対応することが可能になる。
【００６４】
また、光源ユニットにワイヤハーネスを収容する収納壁を設けたものでは、光源ユニット同士を電気的に接続するワイヤハーネスが外部に露出しなくなり、光源部がすっきりとまとまって取り扱い性が向上する。
【００６５】
連結方向に長さの異なる複数種類の光源ユニットを用意したものでは、連結する光源ユニットの数や組み合わせ方を選択することで、多様な長さの光源部を構成することができる。
【００６６】
光源の背後に光の反射部材を設けたものでは、出射された光が正面に集中するので、表示プレートに入射する光量が増加して模様の発光強度が向上する。光源に発光ダイオードを使用し、反射部材として発光ダイオードの取り付け基板の表面に光の反射層を設けたものでは、基板表面の導体をメッキすることで反射部材を容易に形成することができる。また、光源に発光ダイオードを用いたので、コンパクト（薄い）、低消費電力、長寿命の光源部を提供できるとともに、発光色を選択することで様々な色で表示プレートを発光させることができる。
【００６７】
光源部が出射する光の色を変更可能なものでは、様々な色で模様を発光させることが可能になり、装飾効果を高めることができる。
【００６８】
表示プレートのうち光源部から所定距離の範囲内にある部分を目隠し部材で覆い隠したものでは、光源部の近くに生じる光の筋が目隠し部材で覆い隠されて、見栄えが向上する。
【発明を実施するための最良の形態】
【００６９】
以下、図面に基づき本発明の実施の形態を説明する。  
図１は、本発明の実施の形態に係わる表示装置８を欄間として取り付けたパチンコ島台１を示す斜視図である。パチンコ島台１には、パチンコ機２とパチンコ球を遊技者に貸し出す台間ユニット３とを一組にしたものが遊技に適した高さで横一列に並べて複数組収容されている。図１に示すパチンコ島台１は、両面にパチンコ機２が収容された両面島１ａである。このほかパチンコ島台には、片面だけに遊技機等を収容した壁島がある。
【００７０】
パチンコ島台１の上部（パチンコ機２の上方）には幕板７が掛け渡してあり、その上に欄間としての表示装置８が設けてある。幕板７には、パチンコ機２毎に呼出ランプ９が取り付けてある。表示装置８は、パチンコ機２と台間ユニット３とを一組にしたものを単位に設けてあり、表示装置８の横幅は１台のパチンコ機２とこれに並設された１台の台間ユニット３とを合わせた横幅になっている。
【００７１】
パチンコ機２の下方には、玉箱などを載せるためのカウンタ４が手前に突出して設けてある。カウンタ４の下方には腰板５が、さらにその下方から床面までの間には巾木６が設けてある。また、パチンコ島台１の左右両端には妻板１１が取り付けてある。妻板１１には、表示装置８の点灯パターンなどを設定するための子統合スイッチパネル２１（操作部）が設けてある。
【００７２】
図２は、パチンコ島台１に欄間として取り付けられた表示装置８の分解斜視図である。表示装置８は、フレーム１２と表示プレート２５とから構成されており、表示プレート２５はフレーム１２から容易に着脱可能になっている。なお、フレーム１２の背面から出ているワイヤハーネス１７は、フレーム１２に内蔵される後述のＬＥＤ基板とパチンコ島台１に設置された後述の個別制御基板とを電気的に接続するためのケーブルである。表示装置８は、フレーム１２の上部左右両端に設けた回転軸としての蝶番１３ａでパチンコ島台１の図示しない島柱に開閉可能に取り付けられる。
【００７３】
図３は、フレーム１２を示す六面図である。同図（Ａ）は正面図、（Ｂ）は背面図、（Ｃ）は右側面図、（Ｄ）は平面図、（Ｅ）は底面図、（Ｆ）は（Ａ）のＡ−Ａ断面図である。図２および図３に示すように、フレーム１２は、基部フレーム１３と、左右の側フレーム１４ａ、１４ｂと、背板１５とから構成されている。基部フレーム１３と側フレーム１４ａ、１４ｂとは全体でコの字状の枠をなしている。なお、図３では蝶番１３ａは図示省略してある。
【００７４】
フレーム１２は、コの字の開放部分を下に向けた状態で、左右の側フレーム１４ａ、１４ｂのガイド溝に沿って表示プレート２５の上から嵌め込まれる。その後、側フレーム１４ａ、１４ｂに開設されている螺子穴１６ａ、１６ｂを通して図示省略の螺子でフレーム１２と表示プレート２５とを一体に固定するようになっている。
【００７５】
図３（Ｂ）に示す背板１５の上部に形成された切欠１８は、ヒートシンクの役割とワイヤハーネス１７を通過させる役割のために設けてある。また、図３（Ｅ）に示すように基部フレーム１３の左右端部内側にはストッパ片４７ａ、４７ｂが設けてある。ストッパ片４７ａ、４７ｂは、表示プレート２５をフレーム１２に装着したときに、表示プレート２５の上端面２４と基部フレーム１３の内部に設けられるＬＥＤ７１との間に適正なクリアランスを保つ（接触防止も含む）為に形成してある（図１３参照）。なお背板１５は、所望の色で着色してもよい。
【００７６】
図４は、フレーム１２の基部フレーム１３に収容される光源ユニットとしてのＬＥＤユニット７６を示す六面図である。図５はＬＥＤ基板７０の正面図と平面図であり、図６は支持板５５の六面図である。尚、図４、図６では背面図は正面図と同一に現われるので省略してある。図４に示すＬＥＤユニット７６は、図５のＬＥＤ基板７０を図６の支持板５５に取り付けて構成される。
【００７７】
図５に示すように、ＬＥＤ基板７０には、赤ＬＥＤ７１ａと青ＬＥＤ７１ｂと緑ＬＥＤ７１ｃの３個を一組としたものが５組一列に並べて取り付けてある。赤ＬＥＤ７１ａは５φ（直径５ミリ）のものを、青ＬＥＤ７１ｂおよび緑ＬＥＤ７１ｃは３φ（直径３ミリ）のものを使用している。赤は青や緑に比べて発光強度が弱いので、５φの赤ＬＥＤ７１ａを使用することで発光強度の差を補っている。
【００７８】
ＬＥＤ基板７０は、同一サイズのＬＥＤ取付基板７２とベース基板７３とを２枚重ねにした構造をなしている。ＬＥＤ取付基板７２およびベース基板７３は幅（７〜１０ｍｍ）×長さ（１００〜２００ｍｍ）で作成されている。ベース基板７３の裏面側の左右両端には雌コネクタ７５ａ、７５ｂが設けてある。
【００７９】
本実施の形態で使用する赤ＬＥＤ７１ａは、図７に示すように頭部より台座部が太く、青ＬＥＤ７１ｂは寸胴の形状をなしている。ＬＥＤ取付基板７２には、赤ＬＥＤ７１ａの取り付け箇所に対応する位置に赤ＬＥＤ７１ａの頭部が通過可能で台座部が通り得ない大きさの穴が開けてある。また青ＬＥＤ７１ｂや緑ＬＥＤ７１ｃの取り付け箇所に対応する位置にはこれらのＬＥＤ７１ｂ、７１ｃの端子は通るが本体部は通り得ない大きさのスルーホールが開けてある。ベース基板７３には各ＬＥＤ７１a、７１ｂの端子が通るスルーホールが形成されているとともに、裏面７３ａに配線パターンが施されている。
【００８０】
ＬＥＤ基板７０を組み立てるときは、まず、ベース基板７３に赤ＬＥＤ７１ａの端子を挿入した後、赤ＬＥＤ７１ａの上からＬＥＤ取付基板７２を被せて赤ＬＥＤ７１ａの台座部にＬＥＤ取付基板７２を当接させる。その後、ＬＥＤ取付基板７２の上から該当する穴に青ＬＥＤ７１ｂの端子を通し、青ＬＥＤ７１ｂの胴部でＬＥＤ取付基板７２を上から押圧した状態にする。この状態で各ＬＥＤ７１ａ、７１ｂ、７１ｃの端子をベース基板７３の裏面の配線パターンにハンダ接続して固定する。
【００８１】
これにより別途の取り付け部材を設けることなくＬＥＤ取付基板７２とベース基板７３とを２枚重ねの状態に保持することができる。また、青ＬＥＤ７１ｂや緑ＬＥＤ７１ｃは、その端子がＬＥＤ取付基板７２とベース基板７３の双方を通過するので、より強固にベース基板７３に取り付けられることになる。すなわち、ＬＥＤ取付基板７２は、ＬＥＤ７１をＬＥＤ基板７０に強固に取り付ける機能を果たしている。
【００８２】
さらに、ＬＥＤ取付基板７２の表面には、ＬＥＤ７１の光を反射可能な反射層７４が設けられている。この反射層７４は、光を反射可能なものであれば特に材質などを限定するものではなく、たとえば基板上の導体層にハンダ等の金属メッキを施すことで形成してもよい。
【００８３】
ＬＥＤ７１のタイプは、表示プレート（導光板）２５の長さによって、その輝度や指向性を適宜選択するのが好ましく、一般的に表示プレート２５の長さが短ければ（たとえば２０ｃｍ以下）、視野角として４５〜６０度程度のもので、それほど輝度の高いタイプでなくてもよい。さらにこの場合、ＬＥＤ７１のピッチも広めに設計することができるので（たとえば２ｃｍ以上）コストダウンとなる。
【００８４】
一方、表示プレート２５の長さが長ければ（たとえば４０ｃｍ以上）、他端部での光量を適度に確保するためには、たとえば、視野角が２０〜３５度程度で、高輝度タイプのものが好ましい。この場合、ＬＥＤ７１のピッチも狭くすることが望ましい（たとえば１ｃｍ以下）。このようにすると、極力コストダウンをはかりながら、表示プレート２５の発光強度を維持することができる。
【００８５】
図６に示すように、支持板５５は、長さ方向の一端に嵌合凸部５６を、他端に嵌合凹部５７を備えており、隣り合う支持板５５の嵌合凸部５６と嵌合凹部５７とを嵌合することにより複数の支持板５５を一列に連結可能になっている。支持板５５に挿入されたＬＥＤ基板７０の雌コネクタ７５ａ、７５ｂに対応する箇所にはこれらを通すための切欠５８ａ、５８ｂが設けてある。また下部に設けた収納壁５９ａ、５９ｂは、図８から図１０に示すように、ベース基板７３の雌コネクタ７５ａ、７５ｂに嵌合させる雄コネクタ７８や雄コネクタ１９、ハーネス７７、ハーネス１７を収納する機能を果たす。
【００８６】
図８は、ＬＥＤユニット７６同士を連結する様子を示している。嵌合凸部５６と嵌合凹部５７とを嵌合して連結した後、隣り合うＬＥＤユニット７６同士を両端に雄コネクタ７８を備えたハーネス７７で電気的に接続する。さらに、いずれかの端に位置するＬＥＤユニット７６の雌コネクタには、個別制御基板に電気的に接続するためのワイヤハーネス１７の雄コネクタ１９が接続される。
【００８７】
図９は、２つのＬＥＤユニット７６を連結した状態の正面図であり、図１０は２つのＬＥＤユニット７６を連結した状態の底面図である。雄コネクタ７８、１９および余ったハーネス７７は収納壁５９ａ、５９ｂの内側に収容される。
【００８８】
図１１は、基部フレーム１３内にＬＥＤユニット７６を設置した状態を示す底面図であり、図１２は、基部フレーム１３内にＬＥＤユニット７６を設置した状態の一部を示す正面図である。なお、図１２は基部フレーム１３の前面板（破線で示す部分）を取り除いた状態を示している。
【００８９】
ＬＥＤユニット７６の基部フレーム１３への設置手段としては、ビス止めや接着、嵌着等が考えられる。
【００９０】
雄コネクタ７８、雄コネクタ１９および余ったハーネス７７を収納壁５９ａ、５９ｂの内側に収容しているので、余ったハーネス７７等が邪魔になることなくＬＥＤユニット７６を基部フレーム１３の奥壁に密着するまで確実に挿入することが可能になっている。また、ＬＥＤユニット７６を点灯した際の熱は背板１５に開設された切欠１８から外部へ放出される。さらに図中、右端の切欠１８はワイヤハーネス１７の通過口になっている。
【００９１】
図１３は、表示プレート２５を基部フレーム１３に取り付けた状態の表示装置８をその内部構造とともに示した正面図である。表示プレート２５の上端２４がストッパ片４７ａ、４７ｂに突き当たることで、ＬＥＤユニット７６の各ＬＥＤ７１と表示プレート２５の上端との間にわずかなクリアランスが確保されている。
【００９２】
図２に示すように、表示装置８は上部の蝶番１３ａで回転可能にパチンコ島台１に取り付けられ、ＬＥＤユニット７６は図１３に示すように表示装置８の回転軸側に内蔵されている。このため蝶番１３ａを中心に表示装置８を開閉してもＬＥＤユニット７６の位置があまり変位せず、ワイヤハーネス１７が短くて済み、かつ配線等が容易になる。
【００９３】
図１４は、表示プレート２５、反射テープ２６、反射シート２８の分解斜視図である。表示プレート２５の周縁部には、反射テープ２６が貼着され、表示プレート２５の裏面側には反射シート２８が貼着される。なお反射テープ２６は、ＬＥＤ７１が臨む箇所となる表示プレート２５の端部２４には形成されないようになっている。
【００９４】
反射シート２８は、白色や光沢のある色が着色されたシートであればよい。さらに模様（印刷部）３０に重なる部分のみに反射シート２８を設け、それ以外の箇所に所望の背景色を施すようにしてもよい。つまり反射シート２８は、模様（印刷部）３０の発光強度を向上させるため、少なくとも模様（印刷部）３０に重なる部分のみにあればよい。
【００９５】
反射テープ２６は、反射シート２８と同様、白色や光沢のある色が着色されたテープであればよい。これらにより、表示プレート２５の内部を通過する光が外界との境界で反射されて外部への漏れが防止され、模様（印刷部）３０の発光強度が向上する。
【００９６】
導光板としての表示プレート２５は、肉厚が略５ｍｍにて形成されており、その裏側（反射シート２８側）には光を拡散する模様（発光部）としての印刷部（魚の絵）３０がスクリーン印刷されている。この印刷に使用される塗料（インキ）は、拡散反射特性を有し散乱材を含有するもので、材料としては、パール材やガラス、ビーズ顔料、白色顔料等があり、さらに拡散性や発色性を持たせ発光強度を向上させるため有機蛍光誘導体と非有機系化合物を加えるようにしてもよい。
【００９７】
具体的には、シリコーン樹脂粒子やポリスチレン樹脂粒子等の透明有機樹脂粒子、Ａｌ２Ｏ３、ＴｉＯ２、ＳｉＯ２等の金属酸化物粒子、ＢａＳＯ４等の硫酸塩粒子、ＣａＣＯ３等の炭酸塩粒子、ガラス微粉末やガラスバルーンなどの無機化合物粒子、ミクロエアーセル等が挙げられ、これらを単独で又は２種以上を併用して使用することができる。
【００９８】
反射効率や塗料の印刷性等を考慮した場合、これら材料の粒子の平均粒径は０．０１〜２０μｍ程度、特に０．０５〜１μｍ程度であることが好ましく、また、光反射層中の含有量は０．５〜５０重量％程度、特に３〜２０重量％程度であることが好ましい。なお、塗料は、アクリル樹脂、ウレタン樹脂、エポキシ樹脂等の熱硬化性樹脂、或いはアクリル系、ゴム系、エラストマー系等の粘着剤をバインダーとするものを用いることができる。
【００９９】
なお、印刷は、スクリーン印刷以外に、たとえばオフセット印刷、グラビヤ印刷、凸版印刷、パッド印刷、インクジェット印刷等の印刷方式を採用でき、好ましくは表示プレート２５の成型工程において、インライン方式で印刷するのがよい。また、印刷の厚さは、過度に薄いと光反射効率が十分でなく、逆に過度に厚くても光反射効率には大差がないにもかかわらず、印刷コストの高騰や印刷の剥離の問題も生じてくるため、これらを勘案して適切に選択するのが好ましく、通常は２０〜２００μｍ程度の厚さとすることが好ましい。
【０１００】
また、表示プレート２５を構成する導光板の材料としては、屈折率が高い透明材料が用いられ、メタクリル樹脂（ＰＭＭＡ）、アクリル樹脂等が好ましく、それ以外にもプラスチック、エラストマーなどの中から目的に応じて適宜選択することができ、たとえば、ポリスチレン、スチレン・メチルメタクリレート共重合体、ポリメチルペンテン、アリルグリコールカーボネート樹脂、スピラン樹脂、アモルファスポリオレフィン、ポリカーボネート、ポリアミド、ポリアリレート、ポリサルホン、ポリアリルサルホン、ポリエーテルサルホン、ポリエーテルイミド、ポリイミド、ジアリルフタレート、フッ素樹脂、ポリエステルカーボネート、ノルボルネン系樹脂（ＡＲＴＯＮ）、脂環式アクリル樹脂（オプトレッツ）、シリコーン樹脂、アクリルゴム、シリコーンゴム等の透明材料が挙げられる。
【０１０１】
また、導光板（メタクリル樹脂、アクリル樹脂）の製法としては、セルキャスト製法や押出し製法があり、製造過程の違いから押出し板はキャスト板に比べ分子量が低く、物性的に耐熱温度・耐衝撃性・表面硬度などが若干劣るものの、熱成形しやすいメリットがあり、この製法についても目的に応じて適宜選択すればよい。本実施の形態では、キャスト板を使用している。
【０１０２】
このように表示プレート２５は、光を拡散する模様である発光部３０を印刷により形成できるので、自由な色で様々な文字やデザインを発光部として極めて容易に採用できるようになる。なお、印刷は、ＬＥＤ７１が臨む表示プレート２５の端部２４から１．５〜２ｃｍ程度間隔をあけて印刷するようにするとよい。これは、この端面のあまり近くに印刷すると、ＬＥＤ７１の指向性により、印刷部３０がきれいに発光しないからである。
【０１０３】
図１５は、ＬＥＤ７１の指向性と照射領域との関係を示している。赤ＬＥＤ７１ａに注目すると、斜線部３０１で示す部分にはいずれの赤ＬＥＤ７１ａからも直接光が到達していない。直接光が到達する部分と到達しない部分では明暗の差が大きいので、光の筋が生じてしまう。そこで、直接光の到達しない斜線部３０１が基部フレーム１３内に収まるように設計し、光の筋を基部フレーム１３で覆い隠すとよい。図１３に示す表示装置８では、表示プレート２５の上端２４が基部フレーム１３の内側に数ｃｍ入り込んでおり、基部フレーム１３が光の筋を隠す目隠し部材としての機能を果たしている。
【０１０４】
また、図１６に示すように、ＬＥＤ７１からの直接光の到達しない範囲３０１が基部フレーム１３内にすべて収まらない場合でも、その範囲３０１を避けて模様３０２を印刷すればよい。したがって、光の筋の影響や模様の印刷を避けるべき範囲の大きさなどの事項を踏まえてＬＥＤ７１のピッチや指向性（視野角）、及び基部フレーム１３の幅等を設計するとよい。
【０１０５】
なお、表示プレート２５の肉厚は、５ｍｍ以外でも良く、ほぼ３〜７ｍｍの範囲が適当であればよい。この範囲未満（３ｍｍ未満）になると、発光強度が低下し、一方、この範囲を超過（７ｍｍを超過）すると、発光強度は問題ないが、表示プレート２５が厚くなり、たとえば店員が携帯するのに嵩張ったり、重くなったりして取り扱い上好ましくない。
【０１０６】
図１７は、ＬＥＤ７１から入射した光の表示プレート２５内部における伝播経路を示しており、図１８は、ＬＥＤ７１から入射した光が印刷部３０で反射する様子を示している。ＬＥＤ７１から発せられた光は、一例として入射光３１に示すように表示プレート２５の内部を通過し、表示プレート２５の縁部に到達した入射光３１は、反射テープ２６で反射して再び表示プレート２５の内部を通過する。そして、このような経路を辿る過程で入射光３１が印刷部３０に到達すると、前記拡散反射特性により図１８に示すような拡散した反射光３２が発生し、この光が表示プレート２５の外部に出射し、印刷部３０が発光するように見える。なお、表示プレート２５のＬＥＤ７１が臨む端面２４は、バフ（磨き…鏡面加工）をかけるのが好ましく、これによりさらに模様（印刷部）３０の発光強度が増す。
【０１０７】
図１９は、表示装置８の模様（印刷部３０）が発光する様子を模式的に示したものである。表示プレート２５全体が光るのではなく、表示プレート２５に付した模様（印刷部３０）だけが光るので、高い装飾効果を得ることができる。
【０１０８】
ところで、模様（印刷部）３０の発光色は、印刷部３０の印刷色とＬＥＤ７１の発光色（波長）とにより決定される。すなわち、印刷部３０の印刷色が無色や白色であれば、ほぼＬＥＤ７１の発光色が模様（印刷部３０）の発光色になる。印刷部３０の印刷色が有色であれば、ほぼ印刷部３０の印刷色とＬＥＤ７１の発光色とを混合した色が模様（印刷部３０）の発光色になる。またＬＥＤ７１の発光色が白色であれば、ほぼ印刷部３０の印刷色が模様（印刷部３０）の発光色となる。
【０１０９】
図２０は、ＬＥＤの発光色（波長）と模様（印刷部）の印刷色との組み合わせ方と印刷部の発光強度との関係を示す説明図である。図中の「Ａ」は発光強度が強いことを「Ｂ」はやや強いことを、「Ｃ」はやや弱いことを、「Ｄ」は非常に弱いことを、「Ｅ」が発光しないことをそれぞれ表している。
【０１１０】
模様（印刷部）３０の発光強度は、ＬＥＤ７１の発光色（波長）と印刷部３０の印刷色の双方に依存している。印刷部３０の印刷色が黒色（若しくはそれに近い色）の場合には、ＬＥＤ７１の発光色にかかわらず黒となり、模様（印刷部３０）はほとんど発光しない。また、ＬＥＤ７１の発光色と印刷部３０の印刷色とが同じ場合には発光強度が強く、ＬＥＤ７１の発光色と印刷部３０の印刷色とが補色の関係に近づくほど発光強度は弱くなる。
【０１１１】
たとえば、ＬＥＤの色が「赤」で印刷色が「緑」や「青」の場合は、補色の関係あるいは補色に近い関係にあるので発光強度は非常に弱い「Ｄ」になっている。またＬＥＤの色が「青」で印刷色がその補色の「赤」の場合にも発光強度はやや弱い「Ｃ」になる。したがって、表示プレート２５に青の模様と赤の模様とを印刷しておき、点灯するＬＥＤの色を青と赤とに切り替えれば、赤ＬＥＤの点灯時には赤の模様だけが発光し、青ＬＥＤの点灯時には青の模様だけが発光するので、発光する箇所が切り替わり、変化に富む装飾効果を得ることが可能になる。
【０１１２】
図２１は、パチンコホールの平面模式図の一例である。同図では、左右両側の壁面に沿って壁島１ｂが設けてあり、これらの中央に両面島１ａが設けてある。遊技機島には、親島と子島とがあり、親島（図中で左の壁島１ｂ）には、親統合制御基板８０が、子島には子統合制御基板９０が取り付けてある。これらは表示装置８の点灯パターンを制御する回路である。各島に設置された親統合制御基板８０および子統合制御基板９０は、通路２２を跨ぐハーネス８８で互いに接続されている。この接続は、床下や天井裏等を介して行われる。
【０１１３】
各島の親統合制御基板８０や子統合制御基板９０には、島内部に掛け渡したケーブルを通じて多数の個別制御基板６０がカスケード接続されている。図２１に示すものでは２台のパチンコ機に１台の割合で個別制御基板６０が設置されている。各個別制御基板６０には、表示装置８のＬＥＤユニット７６がワイヤハーネス１７を通じて接続されている。また、各パチンコ機２に対応付けて設けた呼出ランプ９も接続される。
【０１１４】
図２２は、子統合制御基板９０の回路構成を示すブロック図であり、図２３は、子統合スイッチパネル２１の正面図である。
【０１１５】
子統合制御基板９０は、当該装置の動作を統括制御するためのＣＰＵ（中央処理装置）９１を有し、そのバス９４にＲＯＭ（リード・オンリ・メモリ）９６と、ＲＡＭ（ランダム・アクセス・メモリ）９７と、入力回路９２と、出力回路９３とが接続されている。入力回路９２には、親統合制御基板８０と、子統合スイッチパネル２１に配置された大当り点灯パターン設定スイッチ３５と、点灯色設定スイッチ３６と、通常点灯パターン設定スイッチ３７と、グルーピング設定スイッチ３８とが接続されている。また出力回路９３には自島の個別制御基板６０と、子統合スイッチパネル２１に配置された７セグ表示器３４とが接続されている。
【０１１６】
子統合スイッチパネル２１の各スイッチ３５〜３８はプッシュ式で、１回押すたびに７セグ表示器３４の表示が「１」〜「６」へと順に変化するようになっている。
【０１１７】
大当り点灯パターン設定スイッチ３５は、自島の欄間（表示装置）８における大当り（確変や時短時でもよい）点灯パターンを予め定めた６通りの中のいずれかに設定するスイッチである。点灯色設定スイッチ３６は、自島の欄間（表示装置）８における点灯色を６通りの中のいずれかに設定するスイッチである。通常点灯パターン設定スイッチ３７は、通常時（大当り、確変、時短時以外）の点灯パターンを６通りの中からいずれかに設定できるスイッチである。
【０１１８】
グルーピング設定スイッチ３８は、子統合制御基板９０が管理するこの島のグループ番号を設定するスイッチである。７セグ表示器３４は選択されたグループ番号を示しており、同じ番号に設定された島同士が同じグループにグルーピングされる。
【０１１９】
図２４は、親統合制御基板８０の回路構成を示すブロック図であり、図２５は、親統合スイッチパネル２０の正面図である。親統合制御基板８０は、子機（子統合制御基板９０）を統括制御する親機としての機能のほかに、自島に対しては子機としての機能も果たす。
【０１２０】
親統合制御基板８０は、当該装置の動作を統括制御するためのＣＰＵ８１を有し、そのバス８４にＲＯＭ８６と、ＲＡＭ８７と、入力回路８２と、出力回路８３とが接続されている。入力回路８２には、親統合スイッチパネル２０に配置された大当り点灯パターン設定スイッチ３５と、点灯色設定スイッチ３６と、通常点灯パターン設定スイッチ３７と、グルーピング設定スイッチ３８と、グルーピング指定スイッチ３９と、グルーピング点灯オン・オフスイッチ４０と、グルーピング点灯パターン設定スイッチ４１とが接続されている。また出力回路８３には他の島の子統合制御基板９０と、自島の個別制御基板６０と、親統合スイッチパネル２０に配置された７セグ表示器３４とが接続されている。
【０１２１】
親統合スイッチパネル２０の各スイッチ３５〜３９はプッシュ式で、１回押すたびに７セグ表示器３４の表示が「１」〜「６」へと順に変化するようになっている。
【０１２２】
大当り点灯パターン設定スイッチ３５および点灯色設定スイッチ３６、通常点灯パターン設定スイッチ３７、グルーピング設定スイッチ３８は子統合制御基板９０と同一である。グルーピング指定スイッチ３９およびグルーピング点灯オン・オフスイッチ４０、グルーピング点灯パターン設定スイッチ４１は、親統合制御基板８０のみに設けられるスイッチである。これらを用いて、特定のグループに属する複数の島の表示装置８に特定の点灯パターンを強制的に点灯（グルーピング点灯）させることができる。
【０１２３】
グルーピング指定スイッチ３９は、グルーピング点灯させる（アクティブにする）グループ番号を指定するスイッチである。グルーピング点灯オン・オフスイッチ４０がオンすると、各島におけるスイッチ３５、３６、３７の設定を無効化し、グルーピング指定スイッチ３９にて指定されたグループ番号を持つ島でグルーピング点灯が実行される。グルーピング点灯で用いる点灯パターンおよびＬＥＤの点灯色は、予め定めた複数種類（ここではＡ、Ｂ、Ｃ）の中からグルーピング点灯パターン設定スイッチ４１によって選択される。
【０１２４】
グルーピング点灯の使い道としては、たとえば、島（機種）毎のサービスタイムやレディースコーナーの報知等が挙げられる。
【０１２５】
なお親統合制御基板８０は、子統合制御基板９０へ同期信号を出力しており、各島が同じタイミングで点灯、点滅、フェードイン・フェードアウト（以下、グラデーションという）または消灯等をするようになっている。さらに親統合制御基板８０は、自島の個別制御基板６０にも同期信号を出力しており、各パチンコ機２に対応する欄間（表示装置）８が上記と同様に同じタイミングで点灯等をするようになっている。
【０１２６】
図２６は、個別制御基板６０の回路構成を示すブロック図である。個別制御基板６０は、当該装置の動作を統括制御するためのＣＰＵ６１を有し、そのバス６４にＲＯＭ６６と、ＲＡＭ６７と、入力回路６２と、出力回路６３とが接続されている。入力回路６２には、親統合制御基板８０と子統合制御基板９０のうちその島に設置されているものが接続される。また入力回路６２には、同じ島内の隣の個別制御基板６０と、呼出ランプ９とが接続される。出力回路６３には、同じ島内の隣の個別制御基板６０と、ＬＥＤユニット７６とが接続される。
【０１２７】
呼出ランプ９からは大当り（確変や時短）信号が入力され、この大当り信号が入力されると、個別制御基板６０は、通常時の点灯パターンに代えて大当り点灯パターンを実行する。また大当り信号（またはランニング信号）が入力されると、ランニング点灯処理が実行され、隣の個別制御基板６０にランニング信号を出力するようになっている。ランニング点灯処理とは、島台に設置されている複数の表示装置８を連携動作させて島の端から端へと光が走るように点灯箇所を移動させる点灯制御をいう。
【０１２８】
図２７は、各スイッチ３５〜３９に対応する７セグ表示器に表示される数字と欄間（表示装置）８の点灯パターン又は点灯色、及びランニング時の点灯色との関係を示す点灯パターン一覧表３１０を示している。大当り点灯パターン設定スイッチ３５で選択可能な６つのパターンはいずれも初期の高速点滅とその後の低速点滅とを組み合わせたものであり、点滅周期の長さが異なっている。
【０１２９】
通常点灯時の点灯色は、赤、青、緑、橙、紫、水色の６色の中のいずれかを選択することができる。橙は赤ＬＥＤ７１ａと緑ＬＥＤ７１ｃとの同時点灯、紫は赤ＬＥＤ７１ａと青ＬＥＤ７１ｂとの同時点灯、水色は青ＬＥＤ７１ｂと緑ＬＥＤ７１ｃとの同時点灯で発色する。
【０１３０】
点灯色設定スイッチ３６を操作すると、通常点灯時の点灯色と同時にランニング点灯時の点灯色も設定される。通常点灯時の点灯色が赤の場合には、ランニング点灯時の点灯色は青に設定される。同様に通常点灯色が青のときはランニング点灯色が緑に、通常点灯色が緑のときはランニング点灯色が赤に、通常点灯色が橙のときはランニング点灯色が青に、通常点灯色が紫のときはランニング点灯色が緑に、通常点灯色が水色のときはランニング点灯色が赤にそれぞれ設定される。
【０１３１】
ランニング点灯処理は、通常点灯の実行途中に割り込んで行なわれる。そこで、ランニング点灯色は、通常点灯で使用していないＬＥＤの色に設定してある。たとえば、点灯色設定スイッチ３６にて橙が設定されているとき（７セグ表示器３４に「４」が表示）のランニング点灯色を青にしている。橙は赤のＬＥＤと緑のＬＥＤの２つで発色させているので、橙の発色に使用していない青にすることで色の差が大きくなり、ランニング点灯を目立たせることができるからである。同様な理由で、紫のときはランニング時の点灯色を緑とし、水色のときはランニング時の点灯色を赤としている。
【０１３２】
またグルーピング点灯パターン設定スイッチ４１における点灯パターン又は点灯色において、赤と水色、青と橙、緑と紫を交互点灯させるのも、同様な理由で目立つからである。このように色の違いを目立つようにすることで装飾効果が高まる。
【０１３３】
通常点灯パターン設定スイッチ３７で設定するグラデーションとは、徐々に色の濃淡をつけて点灯または消灯する態様である。また、点灯パターン又は点灯色の種類は上記に限定されるものではなく、たとえば色等は赤ＬＥＤ７１ａ、青ＬＥＤ７１ｂ、緑ＬＥＤ７１ｃを同時点灯してさらに種類を増やすようにしてもよい。なお色の調節は、点灯するＬＥＤの組み合わせ方や各ＬＥＤの発光強度を変えることで無限に可能になる。たとえば、ＬＥＤ７１に流す電流の値やオン時間を抵抗値やソフトにて制御することで発光強度を調整することができる。
【０１３４】
図２８は、親統合制御基板８０が行なう制御処理の流れを示している。電源投入直後、ＣＰＵ８１は初期化処理にて、スタックの設定や以下の処理に必要な各フラグ、各レジスタ及び各記憶エリアの初期化を行なう（ステップＳ４０１）。次に、各スイッチ３５〜３９の入力（操作）があれば（ステップＳ４０２；Ｙ）、該当する７セグ表示器３４に数値を表示し（ステップＳ４０３）、現時点での各スイッチ３５〜３８の設定状態に対応する基本点灯コマンドやグルーピング信号を自島の個別制御基板６０に出力する（ステップＳ４０４）。
【０１３５】
その後もしくは各スイッチ３５〜３９の入力がないときは（ステップＳ４０２；Ｎ）、グルーピング点灯オン・オフスイッチ４０がＯＮか否かを調べ、ＯＮの場合は（ステップＳ４０５；Ｙ）、子統合制御基板９０にグルーピング指定スイッチ３９およびグルーピング点灯パターン設定スイッチ４１の設定状態に対応するグルーピング信号およびグループ点灯コマンドを出力する（ステップＳ４０６）。
【０１３６】
その後、自島がグルーピング指定スイッチ３９で指定されたグループに設定されているかを調べ、グルーピング指定スイッチ３９で指定されたグループに自島が属するときは（ステップＳ４０７；Ｙ）、自島の個別制御基板６０にグルーピング点灯パターン設定スイッチ４１の入力に対応するグループ点灯コマンドを出力して（ステップＳ４０８）処理を終了する。ステップＳ４０７の判定は、グルーピング設定スイッチ３８の設定とグルーピング指定スイッチ３９の指定が同じか否かで行なう。
【０１３７】
グルーピング点灯オン・オフスイッチ４０がＯＦＦの場合（ステップＳ４０５；Ｎ）および自島がグルーピング指定スイッチ３９で指定されたグループに属していないときは（ステップＳ４０７；Ｎ）その時点で本処理を終了する（エンド）。なお本処理は、ステップＳ４０１の初期化処理を除き、所定の周期（数ミリ秒）で繰り返し実行される。
【０１３８】
図２９は、子統合制御基板９０が行なう制御処理の流れを示している。電源投入直後、ＣＰＵ９１は初期化処理にて、スタックの設定や以下の処理に必要な各フラグ、各レジスタ及び各記憶エリアの初期化を行なう（ステップＳ４２１）。次に、各スイッチ３５〜３８の入力があれば（ステップＳ４２２；Ｙ）、該当する７セグ表示器３４に数値を表示し（ステップＳ４２３）、現時点での各スイッチ３５〜３８の設定状態に対応する基本点灯コマンドやグルーピング信号を自島の個別制御基板６０に出力する（ステップＳ４２４）。
【０１３９】
その後もしくは各スイッチ３５〜３８の入力がないときは（ステップＳ４２２；Ｎ）、グループ信号、グループ点灯コマンドが親統合制御基板８０から入力されたか否かを調べ、入力ありの場合は（ステップＳ４２５；Ｙ）、そのグループ信号が示すグループに自島が属しているか否かを調べ、属するときは（ステップＳ４２６；Ｙ）、自島の個別制御基板６０にグルーピング点灯パターン設定スイッチ４１の入力に対応するグループ点灯コマンドを出力して（ステップＳ４２７）処理を終了する。
【０１４０】
グループ信号、グループ点灯コマンドの入力がないとき（ステップＳ４２５；Ｎ）または入力されたグループ信号が示すグループに自島が属していないときは（ステップＳ４２６；Ｎ）その時点で本処理を終了する（エンド）。なお本処理は、ステップＳ４２１の初期化処理を除き、所定の周期（数ミリ秒）で繰り返し実行される。
【０１４１】
図３０は、個別制御基板６０が行なう制御処理の流れを示している。個別制御基板６０は、まず初期化処理（ステップＳ４４１）を行ない、その後は、基本点灯処理（ステップＳ４４２）と、グループ点灯処理（ステップＳ４４３）と、ランニング点灯処理（ステップＳ４４４）とを所定の周期（数ミリ秒）で繰り返し実行する。
【０１４２】
点灯パターンには優先順位があり、最も高いものからランニング点灯、グループ点灯、大当たり点灯、通常点灯の順になっている。
【０１４３】
図３１は、個別制御基板６０が行なう基本点灯処理の流れを示している。各スイッチ３５〜３８の入力（操作）に応じた基本点灯コマンドやグルーピング信号などの入力を子統合制御基板９０や親統合制御基板８０から受けたときは（ステップＳ４６１；Ｙ）、入力された信号に従って点灯パターン等に係わる自装置内の設定を変更する（ステップＳ４６２）。
【０１４４】
その後もしくは上記信号の入力がないときは（ステップＳ４６１；Ｎ）、グループ点灯処理またはランニング点灯処理の処理中か否かを調べ、いずれかを処理中ならば（ステップＳ４６３；ＹまたはステップＳ４６４；Ｙ）その時点で本処理を終了する（エンド）。グループ点灯処理中か否かはグループ点灯処理でセット・リセットされるフラグを参照することで認識する。同様に、ランニング点灯処理中か否かはランニング点灯処理がセット・リセットするフラグを参照することで認識するようになっている。
【０１４５】
グループ点灯処理中でもランニング点灯処理中でもないときは（ステップＳ４６４；Ｎ）、呼出ランプ９から大当たり信号が入力されているか否かを調べ、大当たり信号が入力されていれば（ステップＳ４６５；Ｙ）大当たり点灯パターンによる点灯制御を実行して（ステップＳ４６６）本処理を終了する（エンド）。大当たり信号が入力されていないときは（ステップＳ４６５；Ｎ）、通常点灯パターンによる点灯制御を実行して（ステップＳ４６７）本処理を終了する（エンド）。
【０１４６】
図３２は、個別制御基板６０が行なうグループ点灯処理の流れを示している。子統合制御基板９０や親統合制御基板８０からグループ点灯コマンドの入力があるか否かを調べ、入力がないときは（ステップＳ４８１；Ｎ）本処理を終了する（エンド）。グループ点灯コマンドの入力があるときは（ステップＳ４８１；Ｙ）、それに応じて設定変更する（ステップＳ４８２）。
【０１４７】
その後、ランニング点灯処理の処理中か否かを調べ、処理中ならば（ステップＳ４８３；Ｙ）その時点で本処理を終了し（エンド）、ランニング点灯処理中でないときは（ステップＳ４８３；Ｎ）、グループ点灯パターンによる点灯制御を実行して（ステップＳ４８４）本処理を終了する（エンド）。
【０１４８】
図３３は、個別制御基板６０が行なうランニング点灯処理の流れを示している。呼出ランプ９から大当たり信号が入力されたか、もしくは隣りの個別制御基板６０からランニング信号が入力されると（ステップＳ５０１；Ｙ）、ランニング点灯パターンによる点灯制御を実行し（ステップＳ５０２）、ランニング信号が入力された方向と反対隣りの個別制御基板６０に対してランニング信号を出力する（ステップＳ５０３）。なお、島内で端に位置する個別制御基板６０については、ランニング信号が入力されたものと同じ個別制御基板６０にランニング信号を返すようになっている。これにより、点灯箇所が島の端から端を往復するように移動することになる。
【０１４９】
大当たり信号もランニング信号も入力がないときは（ステップＳ５０１；Ｎ）そのまま本処理を終了する（エンド）。
【０１５０】
点灯制御は、次のようになる。通常状態では、島内の各表示装置８は通常点灯パターンで点灯している。たとえば、８秒周期のグラデーション点灯が行なわれる。このとき、いずれかのパチンコ機２で大当たりが発生すると、そのパチンコ機２に対応する（上に設置された）表示装置８では大当たり点灯パターンによる点灯制御が行なわれる。これと同時にランニング点灯が開始し、大当たりの発生したパチンコ機以外のパチンコ機に対応する表示装置８では、隣りの個別制御基板６０からランニング信号が到来したときだけ通常点灯パターンによる点灯制御に割り込んで一瞬の間、ランニング点灯（色を変える）が行なわれる。大当たりが発生したパチンコ機２では、隣りの個別制御基板６０からランニング信号が到来したときだけ大当たり点灯パターンによる点灯制御に割り込んで一瞬だけランニング点灯（色を変える）が行なわれる。
【０１５１】
図３４は、表示プレート２５の他の一例を示す斜視図である。これまでは表示プレート２５に光を拡散する性質の模様を直接印刷にて形成したが、この例では、光を拡散する模様（発光部）３０の印刷されたフィルムシート４８を表示プレート（導光板）２５に貼着する構成になっている。フィルムシート４８は、表示プレート２５と同じ形にカットされたフィルム状のシートである。
【０１５２】
この場合、フィルムシート４８の裏面側（表示プレート２５への貼着面と反対側）に模様（発光部）３０を印刷するとよい。この理由は、表示プレート２５とフィルムシート４８とを隙間ができないように密着して貼着することができ、それにより模様の発光強度を増すことができるからである。模様を裏面側に設ける場合には有色透明または無色透明のフィルムシート４８を使用する。模様を表面側に設ける場合は、フィルムシート４８を不透明にしてもよく、フィルムシート４８自体に背景色を出す機能や反射材としての機能を持たせるようにしてもよい。
【０１５３】
図３５は、表示プレート２５のさらに他の一例を示す斜視図である。ここでは、模様（発光部）３０の印刷されたフィルムシートをその模様の形にカットしたカッティングシート４９を表示プレート２５に貼着する構成になっている。
【０１５４】
図３４や図３５のように模様を印刷したフィルムシートを表示プレート２５に貼着するようにすれば、欄間８のデザインを、シート（カッティングシートまたはフィルム状のシート）を剥がしたり貼ったりするだけの作業で極めて容易に変更することが可能となり、デザイン変更時のコストダウンに繋がる。特にカッティングシート４９では、複数のカッティングシート４９の組み合わせ方や表示プレート２５に貼着する際の配置を変えることで様々なデザインを形成することができる。
【０１５５】
なお、表示プレート２５に模様を直接印刷する場合でも、元の印刷を消して新しいデザインの模様を印刷するようにすれば、プレート材（導光板）のリサイクルも可能になる。
【０１５６】
図３６は、パチンコ島台１の他の一例を示す斜視図である。表示装置は欄間８以外にも適用でき、たとえば台間ユニット３、カウンタ４、腰板５、巾木６、幕板７、妻板（島飾り）１１などに適用することができる（図中、斜線を施した箇所）。また、パチンコ島台１に限らず、スロット島、アレンジ島等、パチンコ機以外の遊技機を設置する島に適用してもよい。
【０１５７】
図３７は、本発明に係わる表示装置をカウンタ４と腰板５に適用したものの一例を示している。この例は、カウンタと腰板を略Ｌ字状に一体的に構成した一体天腰板１４５を形成し、この一体天腰板１４５を表示装置とした例である。表示プレート１２５の印刷面（光を拡散する模様のある面）は、カウンタ部１２５ａでは図において下側に、腰板部１２５ｂでは図において奥側になっている。従って、この表示プレート１２５を製作する場合には、まず平板状の導光板の両面に印刷（カウンタ部１２５ａ用の印刷と腰板部１２５ｂ用の印刷）を施し、その後、略Ｌ字状に曲加工すればよい。
【０１５８】
曲加工では熱処理が発生するので、ここでは熱成形しやすい押出し製法により製造した押出し板（メタクリル樹脂、アクリル樹脂）を導光板として採用するのが好ましい。但し、前述したように押出し板はキャスト板に比べ耐衝撃性・表面硬度などが劣るとともに、カウンタ部１２５ａや腰板部１２５ｂは遊技者が触れやすい箇所でもある（場合によっては、タバコの火や蹴り等によるイタズラもある）。ここではこれらを考慮して、カウンタ部１２５ａを保護する強化ガラス１４６と、腰板部１２５ｂを保護する傷付き防止コーティング１４７とを設けている。強化ガラス１４６は適宜手段によりカウンタ部１２５ａの上面を覆うように取り付ければよい。また傷付き防止コーティング１４７には光触媒（酸化チタン）を混入させてもよい。
【０１５９】
ＬＥＤユニット７６は、図１１や図１２に示すフレーム１２と同様の方法でフレーム１１２に取り付けられ、表示プレート１２５の下端側から光りを照射する構成になっている。これにより、ＬＥＤから発せられた光はＬ字の形状に沿って表示プレート１２５の内部を伝播し、カウンタ部１２５ａの端面（反射テープ２６）まで到達し、さらに反射して内部での伝播を繰り返す。このように本発明に係わる表示装置は、平面だけでなく曲面にも採用できるので、極めて使い勝手がよい。またカウンタ部１２５ａと腰板部１２５ｂとでＬＥＤユニット７６を共用することができ、光源の必要数が減ってコストダウンになる。
【０１６０】
図３８は、図３７に示す表示プレート１２５にそのカウンタ部１２５ａと強化ガラス１４６との端面を保護する保護プレート１５１を装着したものの一例を示している。保護プレート１５１は、カウンタ４の遊技者側端面において、カウンタ部１２５ａの端面と強化ガラス１４６の端面の双方をちょうど覆う大きさの金属板などで構成されている。カウンタ部１２５ａと強化ガラス１４６との境界部分を覆うことができれば、図示したものより幅の狭いものであってもよいが、端部全面を覆うものが望ましい。尚、この保護手段の他の例としては、強化ガラス１４６の端面とカウンタ部１２５ａの端面の重合側の双方を面取りしてコーキング処理するようにしても良い。
【０１６１】
近年、ホールにおいては、負けた遊技者が腹いせにパチンコ機と台間ユニットとの僅かな隙間にプリペイドカード等の異物を挿入するイタズラが多発し、これが原因で島台内において玉詰まりや装置の故障等が発生している。
【０１６２】
カウンタ部１２５ａの上に保護用の強化ガラス１４６を重ねると、上記と同様のイタズラが発生することが想定される。すなわち、図３９に示すように、カウンタ部１２５ａと強化ガラス１４６との重合面の隙間１５２にプリペイドカードなどの異物１５３が挿入される可能性がある。異物が挿入されると、発光する模様（デザイン）の上に異物が載る形になって模様が覆われてしまい、デザインの装飾効果が著しく低下してしまう。保護プレート１５１は、このようなイタズラを防止するとともに、強化ガラス１４６と表示プレート１２５（カウンタ部１２５ａ）の端面を保護する機能を果たす。
【０１６３】
図４０は、本発明に係わる表示装置を腰板５に適用したものの一例を示している。この例は、図２などで説明した欄間８と同様な平面状の腰板２０５を表示装置としたものである。表示プレート２２５の上端部２２４側から光りを照射する構成となっており、表示プレート２２５の下端部２２３には反射テープを貼らずに、下端部２２３から出射される透過光２３３によりホールの床面を照らす（足元照明）ようになっている。
【０１６４】
その為、バフ（磨き…鏡面加工）は、上端部２２４側だけでなく、下端部２２３側にもかけてあり、これにより透過光２３３を強めている。但し、その分、模様の発光強度は若干弱まる。また、ＬＥＤユニット７６と個別制御基板６０とを連結するハーネスは、個別制御基板６０に延設された雄コネクタ１９とＬＥＤユニット７６を収めたフレーム２１３側に繋がるハーネス２１７との２本に分けてあり、これらのハーネス１９、２１７を雄コネクタ１９と雌コネクタ２７５とで着脱可能に連結している。これにより、島内を保守・点検等をするときに、雌コネクタ２７５を雄コネクタ１９から抜脱して腰板２０５を取り外すことができ、作業性が向上する（特にスロット島）。このような中継用のコネクタは、図２に示した表示装置８に接続するハーネス１７の途中に設けてもよい。
【０１６５】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１６６】
実施の形態では、コの字状のフレームを一例として示したが、フレームの形状はこれに限定されるものではない。たとえば、表示プレートの周囲４辺を取り囲む枠でも、周囲の対向する２辺で挟み込むようにして表示プレートを支持する枠でもよい。また、Ｌ字状のフレームでも、表示プレートの１辺だけを支持するもの、たとえばプレートの端部を表裏両面から挟み込んで支持するようなものであってもよい。
【０１６７】
また、フレームを島台に回転可能に取り付けるための回転軸として実施の形態では蝶番を例示したが、回転可能であれば他の支持方法であってもよい。また、保守点検などに必要な角度範囲で回転すればよく、たとえば、９０度から１２０度程度の回転角があればよい。このほか、欄間８等の場合には、開いた位置でフレームが保持されるように構成するとよい。保持は、ステーやフック、油圧シリンダなどを用いて行なうことができる。
【０１６８】
また、フレームに設けた切欠１８の数、大きさ、配置は実施の形態で例示したものに限定されない。また、図１３に示す表示装置８では、基部フレーム１３が光の筋を隠す目隠し部材としての機能を果たすように基部フレーム１３の内側に表示プレート２５の上端２４が数ｃｍ入り込むようにしたが、どの程度の範囲を目隠しするかは適宜に設定すればよい。数ミリであってもかまわない。また、光の筋を装飾効果として意図的に遊技者に見せるように構成してもよい。なお、フレーム自体に目隠し機能を持たせる代わりに、別体の目隠し部材をフレームや表示プレートに取り付けるようにしてもよい。
【０１６９】
このほか、欄間（表示装置）８は、所定時間が経過すると自動的に点灯態様が変化するように構成してもよい。たとえば、朝、昼、夜で点灯色を、それに合った色調に変更するなどである。
【０１７０】
また、実施の形態では１台のパチンコ機２に対して１つの表示装置８を設けたが１台のパチンコ機２につき２台以上の表示装置８を設けてもよい。たとえば、欄間８と他の箇所とに分けて複数台の表示装置８を設けるときは、交互点滅や同時点滅等、点灯態様をさらに増やすことができる。
【０１７１】
個別制御基板６０は、２つの表示装置８に対し１個設けるようにしたが、４対１や６対１にしてもよい。また、表示装置を欄間８以外に設けたときも同様である。
【０１７２】
実施の形態では、親統合スイッチパネル２０、子統合スイッチパネル２１は、妻板１１に設けたが、これは限定することなく、たとえば欄間８を開けた位置における島内部の島柱に設けてもよく、また、リモコン装置により構成するようにしてもよい。リモコン装置は、専用のものでもよいが、たとえば、ホール内ネットワークを通じて親統合制御基板８０や子統合制御基板９０をホール管理コンピュータなどに接続し、ここから遠隔操作するように構成してもよい。
【０１７３】
ＬＥＤユニット７６（ＬＥＤ基板７０）の長さは、各ホールにて異なる台間ユニット３の幅（４０〜１００ｍｍ）に対応できるよう、複数種類設けてもよい。長さの異なるＬＥＤユニットを組み合わせることで表示ユニット全体としてより一層多様な幅に対応することができる。
【０１７４】
なお、ＬＥＤユニット７６は、部品としてのフレーム１２に設けるようにしたが、パチンコ島台１側に直接設けるようにしてもよい。また、フレーム１２への光源の内蔵方法は実施の形態で例示したものに限定されない。たとえば、光源を連結可能な複数の光源ユニットで構成したが、フレームの幅に応じた１つの光源ユニットを収めるように構成してもよい。また、フレームに光源を直接取り付けてもよい。すなわち、ＬＥＤ基板をフレームに螺子などで直接取りつけてもよい。
【０１７５】
ＬＥＤ７１はフルカラーのＬＥＤを採用しても良く、更に、ランプ型に限らず、表面実装型のチップＬＥＤであってもよい。
【０１７６】
このほか実施の形態では、表示プレートの１つの端面のみから光源の光を照射するように構成したが、２以上の端面から光を照射してもよい。たとえば、表示プレートが縦方向に長くて一方の端面から光を照射しただけでは光が他端まで到達し難い場合には、対向する両端面から光を照射するように構成するとよい。
【０１７７】
また、実施の形態では光を拡散する模様３０を印刷により形成したが、エッチングや彫刻により導光板に直接模様を形成してもよい。彫られた箇所は導光板内の光を拡散して発光する。
【図面の簡単な説明】
【０１７８】
【図１】本発明の実施の形態に係わる表示装置を欄間として取り付けたパチンコ島台を示す斜視図である。
【図２】表示装置を示す分解斜視図である。
【図３】表示装置のフレームを示す六面図である。
【図４】表示装置の光源として使用するＬＥＤユニットを示す六面図である。
【図５】図４に示すＬＥＤユニットの構成部品であるＬＥＤ基板の正面図と平面図である。
【図６】図４に示すＬＥＤユニットの構成部品である支持板を示す六面図である。
【図７】２枚重ねのＬＥＤ基板の組立て状態を示す部分断面図である。
【図８】ＬＥＤユニット同士を連結する様子を示す説明図である。
【図９】２つのＬＥＤユニットを連結した状態を示す正面図である。
【図１０】２つのＬＥＤユニットを連結した状態を示す底面図である。
【図１１】基部フレーム内にＬＥＤユニットを設置した状態を示す底面図である。
【図１２】基部フレーム内にＬＥＤユニットを設置した状態の一部を示す正面図である。
【図１３】表示プレートを基部フレームに取り付けた状態の表示装置を内部構造とともに示した正面図である。
【図１４】表示プレート、反射テープ、反射シートの分解斜視図である。
【図１５】ＬＥＤの指向性と照射領域との関係を示す説明図である。
【図１６】ＬＥＤの指向性と照射領域と適切な模様の配置との関係を示す説明図である。
【図１７】ＬＥＤから入射した光の表示プレート内部における経路を示す説明図である。
【図１８】ＬＥＤから入射した光が模様（印刷部）にて反射する状態を示す説明図である。
【図１９】表示装置の模様（印刷部）が発光する様子を模式的に示す説明図である。
【図２０】ＬＥＤの発光色（波長）と模様（印刷部）の印刷色との組み合わせ方と印刷部の発光強度との関係を示す説明図である。
【図２１】パチンコホールのレイアウトと表示装置に係わる配線との一例を示す平面模式図である。
【図２２】子統合制御基板の回路構成を示すブロック図である。
【図２３】子統合スイッチパネルを示す正面図である。
【図２４】親統合制御基板の回路構成を示すブロック図である。
【図２５】親統合スイッチパネルを示す正面図である。
【図２６】個別制御基板の回路構成を示すブロック図である。
【図２７】親統合スイッチパネルおよび子統合スイッチパネルの各スイッチに対応する７セグ表示器に表示される数字と欄間（表示装置）の点灯パターン又は点灯色、及びランニング時の点灯色との関係を示す点灯パターン一覧表である。
【図２８】親統合制御基板が行なう制御処理を示す流れ図である。
【図２９】子統合制御基板が行なう制御処理を示す流れ図である。
【図３０】個別制御基板が行なう制御処理を示す流れ図である。
【図３１】個別制御基板が行なう基本点灯処理を示す流れ図である。
【図３２】個別制御基板が行なうグループ点灯処理を示す流れ図である。
【図３３】個別制御基板が行なうランニング点灯処理を示す流れ図である。
【図３４】模様を印刷したフィルムシートを貼り付けた表示プレートの例を示す斜視図である。
【図３５】模様を印刷したフィルムシートをその模様の形にカットしたカッティングシートを貼り付けた表示プレートの一例を示す斜視図である。
【図３６】パチンコ島台における表示装置の適用可能箇所の一例を示す説明図である。
【図３７】島台のカウンタと腰板とに適用されるＬ字に曲げた表示プレートを用いた表示装置の一例を示す分解斜視図である。
【図３８】図３７に示す表示装置のカウンタ部の端面に保護プレートを装着したものの一例を示す分解斜視図である。
【図３９】表示プレートのカウンタ部と強化ガラスとの隙間にプリペイドカードなどの異物が挿入される様子を示す説明図である。
【図４０】島台の腰板として使用される足元照明の機能を備えた表示装置の一例を示す分解斜視図である。
【符号の説明】
【０１７９】
１…パチンコ島台
１ａ…両面島
１ｂ…壁島
２…パチンコ機
３…台間ユニット
４…カウンタ
５…腰板
６…巾木
７…幕板
８…表示装置
９…呼出ランプ
１１…妻板
１２…フレーム
１３…基部フレーム
１３ａ…蝶番
１４ａ、１４ｂ…側フレーム
１５…背板
１６ａ、１６ｂ…螺子穴
１７…ワイヤハーネス
１８…切欠
１９…雄コネクタ
２０…親統合スイッチパネル
２１…子統合スイッチパネル
２４…表示プレートの上端（光の入射端面）
２５…表示プレート
２６…反射テープ
２８…反射シート
３０…模様（印刷部）
３１…入射光
３２…反射光
３４…７セグ表示器
３５…大当り点灯パターン設定スイッチ
３６…点灯色設定スイッチ
３７…通常点灯パターン設定スイッチ
３８…グルーピング設定スイッチ
３９…グルーピング指定スイッチ
４０…グルーピング点灯オン・オフスイッチ
４１…グルーピング点灯パターン設定スイッチ
４７ａ、４７ｂ…ストッパ片
４８…フィルムシート
４９…カッティングシート
５５…支持板
５６…嵌合凸部
５７…嵌合凹部
５８ａ、５８ｂ…切欠
５９ａ、５９ｂ…収納壁
６０…個別制御基板
６１…ＣＰＵ
６２…入力回路
６３…出力回路
６４…バス
６６…ＲＯＭ
６７…ＲＡＭ
７０…ＬＥＤ基板
７１…ＬＥＤ
７１ａ…赤ＬＥＤ
７１ｂ…青ＬＥＤ
７１ｃ…緑ＬＥＤ
７２…ＬＥＤ取付基板
７３…ベース基板
７４…反射層
７５ａ、７５ｂ…雌コネクタ
７６…ＬＥＤユニット
７７…ハーネス
７８…雄コネクタ
８０…親統合制御基板
８１…ＣＰＵ
８２…入力回路
８３…出力回路
８４…バス
８６…ＲＯＭ
８７…ＲＡＭ
８８…ハーネス
９０…子統合制御基板
９１…ＣＰＵ
９２…入力回路
９３…出力回路
９４…バス
９６…ＲＯＭ
９７…ＲＡＭ
１２５…表示プレート
１２５ａ…カウンタ部
１２５ｂ…腰板部
１４５…一体天腰板
１４６…強化ガラス
１４７…傷付き防止コーティング
１５１…保護プレート
１５２…隙間
１５３…異物
２０５…腰板
２１３…フレーム
２１７…ハーネス
２２３…下端部
２２４…上端部
２２５…表示プレート
２３３…透過光
２７５…雌コネクタ
３０１…斜線部
３０２…模様
３１０…点灯パターン一覧表
【図１】
2005304536.tif 000003
【図２】
2005304536.tif 000004
【図３】
2005304536.tif 000005
【図４】
2005304536.tif 000006
【図５】
2005304536.tif 000007
【図６】
2005304536.tif 000008
【図７】
2005304536.tif 000009
【図８】
2005304536.tif 000010
【図９】
2005304536.tif 000011
【図１０】
2005304536.tif 000012
【図１１】
2005304536.tif 000013
【図１２】
2005304536.tif 000014
【図１３】
2005304536.tif 000015
【図１４】
2005304536.tif 000016
【図１５】
2005304536.tif 000017
【図１６】
2005304536.tif 000018
【図１７】
2005304536.tif 000019
【図１８】
2005304536.tif 000020
【図１９】
2005304536.tif 000021
【図２０】
2005304536.tif 000022
【図２１】
2005304536.tif 000023
【図２２】
2005304536.tif 000024
【図２３】
2005304536.tif 000025
【図２４】
2005304536.tif 000026
【図２５】
2005304536.tif 000027
【図２６】
2005304536.tif 000028
【図２７】
2005304536.tif 000029
【図２８】
2005304536.tif 000030
【図２９】
2005304536.tif 000031
【図３０】
2005304536.tif 000032
【図３１】
2005304536.tif 000033
【図３２】
2005304536.tif 000034
【図３３】
2005304536.tif 000035
【図３４】
2005304536.tif 000036
【図３５】
2005304536.tif 000037
【図３６】
2005304536.tif 000038
【図３７】
2005304536.tif 000039
【図３８】
2005304536.tif 000040
【図３９】
2005304536.tif 000041
【図４０】
2005304536.tif 000042